(57)【要約】      （修正有）【課題】バンドが必要ではない時にバンドを回収でき、携帯に便利な手提げバッグを提供する。【解決手段】手提げバッグは、バッグ１０を含み、バッグを自転車又はバイクに固定させる時、固定皮革１６を反転して、バックル１４とバックル溝を係止させ、スライド棒はバックルとバックル溝を離脱させなく、バッグを自転車又はバイクから取り出す時、第二ボタンを押し、第二ボタンがスライド棒を押して下へスライドさせ、スライド棒は二度とバックル溝と接触しなく、バックルとバックル溝とが離脱し、ファイルと他の物品とを区別させることができる。【選択図】図１
2020175107.tif 000002
【特許請求の範囲】
【請求項１】
バッグを含み、前記バッグの中には手提げバッグを便利に持ち運ばせるバンド部品が設置されており、前記バンド部品は前記バッグの内部に設置される収納チャンバと手提げバッグを取りに使われるバンドを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には前記スライド軸を上げられ、且つ前記バンドを回収させる第一ボタンがスライドできるように係合し取り付けられ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記バックルが前記バックル溝に係止されて手提げバッグを車に固定し、前記バッグが囲んだ空間内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができることを特徴とする携帯に便利な手提げバッグ。
【請求項２】
前記固定部品は前記バックル箱の中に設置される左右に対称的な第二ボタンチャンバを含み、前記第二ボタンチャンバの下側には撥条チャンバが左右に対称的に設置されており、前記第二ボタンチャンバと前記バックル箱の片側端面との間には第二ボタンがスライドできるように係合し取り付けられ、前記第二ボタンチャンバと前記撥条チャンバとの間にはスライド棒がスライドできるように係合し取り付けられ、前記スライド棒は前記バックル溝と支えられ、前記スライド棒と前記第二ボタンの右側の末端とがスライドできるように係合され、前記スライド棒の底部端面と前記撥条チャンバの底壁との間には推力撥条が固定的に取り付けられ、前記バックル箱の下側には外側袋が設置されており、前記外側袋の前側端面には第一磁石が左右に対称的に固定的に取り付けられ、前記固定皮革には第二磁石が固定的に取り付けられ、前記第二磁石と前記第一磁石とが吸引し合え、前記バックル箱の頂部端面には手提げバンドが前後に対称的に固定的に取り付けられ、前記手提げバンドと前記バッグとが固定的に取り付けられ、バッグを車に固定させる時、固定皮革を反転して、バックルとバックル溝を係止させ、スライド棒はバックルとバックル溝を離脱させなく、バッグを車から取り出す時、第二ボタンを押し、第二ボタンがスライド棒を押して下へスライドさせ、スライド棒は二度とバックル溝と接触しなく、バックルとバックル溝とが離脱し、固定皮革がバックル箱の中から取り出すことができ、バッグを取り上げることを特徴とする請求項１に記載の携帯に便利な手提げバッグ。
【請求項３】
前記収納部品は前記ファイルボードの後側端面に固定的に取り付けられるファイルポケットを含み、前記内チャンバの頂壁にはファスナーが固定的に連結され、前記ねじりバネの左右の内壁の間には分割布が固定的に連結され、それによりファイルを置くする時、ファイルボードを開き、ファイルをファイルポケットの中に置かせ、ファイルボードが開いた後に書き板として使用されることを特徴とする請求項１に記載の携帯に便利な手提げバッグ。
【発明の詳細な説明】
【技術分野】
【０００１】
本発明は日用品分野を取り上げて、具体的には携帯に便利な手提げバッグであ
【背景技術】
【０００２】
手提げバッグは多くの物品を置いた後、手に持つのは非常に重く、現有の手提げバッグは肩に掛けられるバンドが配置され、ところが手提げる時には非常に不便利であり、手提げバッグの手触りを影響し、自転車やバイクに乗る時、手提げバッグを置くところがなく、ステアリングに掛ければステアリングを傾け、運転に非常に不安全であり、バッグの中の空間はファイルなど事務用品を持ち運ぶことに適しない。
【先行技術文献】
【特許文献】
【０００３】
【特許文献１】中国特許出願公開第109156956号明細書
【発明の概要】
【発明が解決しようとする課題】
【０００４】
本発明の目的は携帯に便利な手提げバッグを提供し、現有技術の上記欠点を克服できる。
【課題を解決するための手段】
【０００５】
本発明における携帯に便利な手提げバッグは、バッグを含み、前記バッグの中には手提げバッグを便利に持ち運ばせるバンド部品が設置されており、前記バンド部品は前記バッグの内部に設置される収納チャンバと手提げバッグを取りに使われるバンドを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には前記スライド軸を上げられ、且つ前記バンドを回収させる第一ボタンがスライドできるように係合し取り付けられ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記バックルが前記バックル溝に係止されて手提げバッグを車に固定し、前記バッグが囲んだ空間内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができる。
【０００６】
更なる技術方案、前記固定部品は前記バックル箱の中に設置される左右に対称的な第二ボタンチャンバを含み、前記第二ボタンチャンバの下側には撥条チャンバが左右に対称的に設置されており、前記第二ボタンチャンバと前記バックル箱の片側端面との間には第二ボタンがスライドできるように係合し取り付けられ、前記第二ボタンチャンバと前記撥条チャンバとの間にはスライド棒がスライドできるように係合し取り付けられ、前記スライド棒は前記バックル溝と支えられ、前記スライド棒と前記第二ボタンの右側の末端とがスライドできるように係合され、前記スライド棒の底部端面と前記撥条チャンバの底壁との間には推力撥条が固定的に取り付けられ、前記バックル箱の下側には外側袋が設置されており、前記外側袋の前側端面には第一磁石が左右に対称的に固定的に取り付けられ、前記固定皮革には第二磁石が固定的に取り付けられ、前記第二磁石と前記第一磁石とが吸引し合え、前記バックル箱の頂部端面には手提げバンドが前後に対称的に固定的に取り付けられ、前記手提げバンドと前記バッグとが固定的に取り付けられる。
【０００７】
更なる技術方案、前記収納部品は前記ファイルボードの後側端面に固定的に取り付けられるファイルポケットを含み、前記内チャンバの頂壁にはファスナーが固定的に連結され、前記ねじりバネの左右の内壁の間には分割布が固定的に連結され、それによりファイルを置くする時、ファイルボードを開き、ファイルをファイルポケットの中に置かせ、ファイルボードが開いた後に書き板として使用される。
【発明の効果】
【０００８】
本発明の有益な効果は下記の通りである：
【０００９】
本発明はファイルと他の物品とを区別させることができ、ファイルを便利に持ち運び、手提げバッグは車に固定され、サイクリストに便利に使わせ、手提げバッグには延長バンドが設置されており、バンドが必要ではない時にバンドを回収でき、より多くの物を入れた場合に力が省け、便利に使われ、普及する価値がある。
【図面の簡単な説明】
【００１０】
【図１】図１は本発明の全体構成模式図
【図２】図２は図１のＡ−Ａの方向の断面構成模式図
【図３】図３は図１のＢの拡大構成模式図
【図４】図４は図１のＣの拡大構成模式図
【発明を実施するための形態】
【００１１】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−４を参考して、本発明における携帯に便利な手提げバッグは、バッグ１０を含み、前記バッグ１０の中には手提げバッグを便利に持ち運ばせるバンド部品８０が設置されており、前記バンド部品８０は前記バッグ１０の内部に設置される収納チャンバ２２と手提げバッグを取りに使われるバンド２１を含み、前記収納チャンバ２２の前後の内壁の間にはロール軸２４が固定的に取り付けられ、前記ロール軸２４には前記バンド２１を収納できるロール２３が回転できるように係合し取り付けられ、前記ロール２３の後側端面と前記収納チャンバ２２の後側内壁との間には前記ロール２３を駆動し前記バンド２１を回収できるねじりバネ３５が固定的に取り付けられ、前記収納チャンバ２２の右側内壁と前記バッグ１０の右側端面との間には連通しているバンド出口３８が設置されており、前記バンド出口３８の頂壁には前記バンド出口３８と連通している挟み輪溝４０が設置されており、前記挟み輪溝４０の上側には第一ボタンチャンバ４２が設置されており、前記第一ボタンチャンバ４２の頂壁には前記第一ボタンチャンバ４２と連通しているスライド軸溝４５が設置されており、前記第一ボタンチャンバ４２と前記挟み輪溝４０との間にはスライド軸５０がスライドできるように係合し取り付けられ、前記スライド軸５０と前記スライド軸溝４５とがスライドできるように係合し取り付けられ、前記スライド軸５０の末端には前記バンド２１をしっかり固定できる挟み輪３９が回転できるように係合し取り付けられ、前記スライド軸５０には前記挟み輪３９を時計回りに回転しないようにさせる摩擦爪４１がヒンジで取り付けられ、前記スライド軸５０の頂部端面と前記スライド軸溝４５の頂壁との間には前記スライド軸５０を下へ押して運動させ、且つ前記挟み輪３９を前記バンド２１と締め付けさせる挟み撥条４６が固定的に取り付けられ、前記スライド軸５０には固定ピン４４が固定的に取り付けられ、前記第一ボタンチャンバ４２の右側の内壁と前記バッグ１０の右側端面との間には前記スライド軸５０を上げられ、且つ前記バンド２１を回収させる第一ボタン４３がスライドできるように係合し取り付けられ、前記第一ボタン４３と前記固定ピン４４とがスライドできるように係合し取り付けられ、前記バンド２１の末端にはナスカン１９が固定的に取り付けられ、前記バッグ１０の右側端面には前記バンド２１が傾けないようにさせる位置制限ブロック２０が上下に対称的に固定的に取り付けられ、前記バッグ１０の左端面には前記ナスカン１９と互いに掛けられるＤかん１７が固定的に取り付けられ、前記バッグ１０の前側端面には固定部品８１が設置されており、前記固定部品８１は前記バッグ１０の前側端面に固定的に取り付けられる左右に対称的なバックル箱２６を含み、前記バックル箱２６の底部端面には手提げバッグを自転車又はバイクに固定できる固定皮革１６が固定的に連結され、前記固定皮革１６にはバックル１４が設置されており、前記バックル箱２６には前記バックル１４と係合されるバックル溝２７が設置されており、前記バックル１４が前記バックル溝２７に係止されて手提げバッグを車に固定し、前記バッグ１０が囲んだ空間内チャンバ２５の中には収納部品８２が設置されており、前記収納部品８２が前記内チャンバ２５の頂壁に固定的に取り付けられるファイルボード３１を含み、前記ファイルボード３１の左側区域にはファイルが置かれられ、前記ファイルボード３１が開かれた後に書き板として使われることができる。
【００１３】
前記固定部品８１は前記バックル箱２６の中に設置される左右に対称的な第二ボタンチャンバ３６を含み、前記第二ボタンチャンバ３６の下側には撥条チャンバ２９が左右に対称的に設置されており、前記第二ボタンチャンバ３６と前記バックル箱２６の片側端面との間には第二ボタン３７がスライドできるように係合し取り付けられ、前記第二ボタンチャンバ３６と前記撥条チャンバ２９との間にはスライド棒２８がスライドできるように係合し取り付けられ、前記スライド棒２８は前記バックル溝２７と支えられ、前記スライド棒２８と前記第二ボタン３７の右側の末端とがスライドできるように係合され、前記スライド棒２８の底部端面と前記撥条チャンバ２９の底壁との間には推力撥条３０が固定的に取り付けられ、前記バックル箱２６の下側には外側袋１２が設置されており、前記外側袋１２の前側端面には第一磁石１３が左右に対称的に固定的に取り付けられ、前記固定皮革１６には第二磁石１５が固定的に取り付けられ、前記第二磁石１５と前記第一磁石１３とが吸引し合え、前記バックル箱２６の頂部端面には手提げバンド１８が前後に対称的に固定的に取り付けられ、前記手提げバンド１８と前記バッグ１０とが固定的に取り付けられ、バッグを車に固定させる時、固定皮革１６を反転して、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを取り上げる。
【００１４】
前記収納部品８２は前記ファイルボード３１の後側端面に固定的に取り付けられるファイルポケット３２を含み、前記内チャンバ２５の頂壁にはファスナー３３が固定的に連結され、前記ねじりバネ３５の左右の内壁の間には分割布３４が固定的に連結され、それによりファイルを置くする時、ファイルボード３１を開き、ファイルをファイルポケット３２の中に置かせ、ファイルボード３１が開いた後に書き板として使用される。
【００１５】
使用する時：ファイルを置く時、ファイルボード３１を開き、ファイルをファイルポケット３２の中に置き、ファイルボード３２が開いた後に書き板として使用され、ファイルボード３１の前側には他の物品が置かれ、自転車又はバイクに乗る時、バッグを車に固定させ、固定皮革１６を翻転し、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを取り上げ、バッグの中の物品が多すぎたら、ナスカン１９とＤかん１７とが掛けられた後、バンド２１を引き、バンド２１が引き出された後、手提げバッグは肩に負うことができ、挟み輪３９が挟み撥条４６の推動によってバンド２１を締め付け、摩擦爪４１は挟み輪３９が時計回りに回転することを防止でき、バンド２１は挟み輪３９に固定され、バンド２１を使わなくなると、第一ボタン４３を押し、第一ボタン４３が固定ピン４４とスライド軸５０を押して上へスライドさせ、挟み輪３９は二度とバンド２１と締め付けなく、ねじりバネ３５がロール２３を押して回転させ、バンド２１を納まる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175107.tif 000003
【図２】
2020175107.tif 000004
【図３】
2020175107.tif 000005
【図４】
2020175107.tif 000006
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
バッグを含み、前記バッグの中には手提げバッグを便利に持ち運ばせるバンド部品が設置されており、前記バンド部品は、前記バッグの内部に設置された収納チャンバと、手提げバッグを取ることができるバンドとを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には第一ボタンがスライドできるように係合し取り付けられ、前記第一ボタン４３は前記スライド軸を持ち上げ、かつ前記バンドを回収することができ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記固定皮革を翻転して自転車又はバイクの横棒を越し、そして前記バックルが前記バックル溝に固定されることにより手提げバッグを自転車又はバイクの横棒に固定し、前記バッグの中には内チャンバが設置され、前記内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができることを特徴とする携帯に便利な手提げバッグ。
【請求項２】
前記固定部品は前記バックル箱の中に設置される左右に対称的な第二ボタンチャンバを含み、前記第二ボタンチャンバの下側には撥条チャンバが左右に対称的に設置されており、前記第二ボタンチャンバと前記バックル箱の片側端面との間には第二ボタンがスライドできるように係合し取り付けられ、前記第二ボタンチャンバと前記撥条チャンバとの間にはスライド棒がスライドできるように係合し取り付けられ、前記スライド棒は前記バックル溝と支えられ、前記スライド棒と前記第二ボタンの右側の末端とがスライドできるように係合され、前記スライド棒の底部端面と前記撥条チャンバの底壁との間には推力撥条が固定的に取り付けられ、前記バックル箱の下側には外側袋が設置されており、前記外側袋の前側端面には第一磁石が左右に対称的に固定的に取り付けられ、前記固定皮革には第二磁石が固定的に取り付けられ、前記第二磁石と前記第一磁石とが引き合うことができ、前記バックル箱の頂部端面には手提げバンドが前後に対称的に固定的に取り付けられ、前記手提げバンドと前記バッグとが固定的に取り付けられ、バッグを車に固定させる時、固定皮革を反転して、バックルとバックル溝を係止させ、スライド棒はバックルとバックル溝を離脱させなく、バッグを車から取り出す時、第二ボタンを押し、第二ボタンがスライド棒を押して下へスライドさせ、スライド棒は二度とバックル溝と接触しなく、バックルとバックル溝とが離脱し、固定皮革がバックル箱の中から取り出すことができ、バッグを自転車又はバイクから取り外すことを特徴とする請求項１に記載の携帯に便利な手提げバッグ。
【請求項３】
前記収納部品は前記ファイルボードの後側端面に固定的に取り付けられるファイルポケットを含み、前記内チャンバの頂壁にはファスナーが固定的に連結され、前記ねじりバネの左右の内壁の間には分割布が固定的に連結され、前記バッグの中に設置されたファイルポケットにファイルを置くとき、ファイルボードを開き、ファイルをファイルポケットの中に置かせ、ファイルボードが開いた後に書き板として使用されることを特徴とする請求項１に記載の携帯に便利な手提げバッグ。
【手続補正２】
【補正対象書類名】明細書
【補正対象項目名】全文
【補正方法】変更
【補正の内容】
【発明の詳細な説明】
【技術分野】
【０００１】
本発明は日用品分野を取り上げて、具体的には携帯に便利な手提げバッグであ
【背景技術】
【０００２】
手提げバッグは多くの物品を置いた後、手に持つのは非常に重く、現有の手提げバッグは肩に掛けられるバンドが配置され、ところが手提げる時には非常に不便利であり、手提げバッグの手触りを影響し、自転車やバイクに乗る時、手提げバッグを置くところがなく、ステアリングに掛ければステアリングを傾け、運転に非常に不安全であり、バッグの中の空間はファイルなど事務用品を持ち運ぶことに適しない。
【先行技術文献】
【特許文献】
【０００３】
【特許文献１】中国特許出願公開第１０９１５６９５６号明細書
【発明の概要】
【発明が解決しようとする課題】
【０００４】
本発明の目的は携帯に便利な手提げバッグを提供し、現有技術の上記欠点を克服できる。
【課題を解決するための手段】
【０００５】
本発明における携帯に便利な手提げバッグは、バッグを含み、前記バッグの中には手提げバッグを便利に持ち運ばせるバンド部品が設置されており、前記バンド部品は、前記バッグの内部に設置された収納チャンバと、手提げバッグを取ることができるバンドとを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には第一ボタンがスライドできるように係合し取り付けられ、前記第一ボタン４３は前記スライド軸を持ち上げ、かつ前記バンドを回収することができ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記固定皮革を翻転して自転車又はバイクの横棒を越し、そして前記バックルが前記バックル溝に固定されることにより手提げバッグを自転車又はバイクの横棒に固定し、前記バッグの中には内チャンバが設置され、前記内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができる。
【０００６】
更なる技術方案、前記固定部品は前記バックル箱の中に設置される左右に対称的な第二ボタンチャンバを含み、前記第二ボタンチャンバの下側には撥条チャンバが左右に対称的に設置されており、前記第二ボタンチャンバと前記バックル箱の片側端面との間には第二ボタンがスライドできるように係合し取り付けられ、前記第二ボタンチャンバと前記撥条チャンバとの間にはスライド棒がスライドできるように係合し取り付けられ、前記スライド棒は前記バックル溝と支えられ、前記スライド棒と前記第二ボタンの右側の末端とがスライドできるように係合され、前記スライド棒の底部端面と前記撥条チャンバの底壁との間には推力撥条が固定的に取り付けられ、前記バックル箱の下側には外側袋が設置されており、前記外側袋の前側端面には第一磁石が左右に対称的に固定的に取り付けられ、前記固定皮革には第二磁石が固定的に取り付けられ、前記第二磁石と前記第一磁石とが引き合うことができ、前記バックル箱の頂部端面には手提げバンドが前後に対称的に固定的に取り付けられ、前記手提げバンドと前記バッグとが固定的に取り付けられる。
【０００７】
更なる技術方案、前記収納部品は前記ファイルボードの後側端面に固定的に取り付けられるファイルポケットを含み、前記内チャンバの頂壁にはファスナーが固定的に連結され、前記ねじりバネの左右の内壁の間には分割布が固定的に連結され、前記バッグの中に設置されたファイルポケットにファイルを置くとき、ファイルボードを開き、ファイルをファイルポケットの中に置かせ、ファイルボードが開いた後に書き板として使用される。
【発明の効果】
【０００８】
本発明の有益な効果は下記の通りである：
【０００９】
本発明はファイルと他の物品とを区別させることができ、ファイルを便利に持ち運び、手提げバッグは車に固定され、サイクリストに便利に使わせ、手提げバッグには延長バンドが設置されており、バンドが必要ではない時にバンドを回収でき、より多くの物を入れた場合に力が省け、便利に使われ、普及する価値がある。
【図面の簡単な説明】
【００１０】
【図１】図１は本発明の全体構成模式図
【図２】図２は図１のＡ−Ａの方向の断面構成模式図
【図３】図３は図１のＢの拡大構成模式図
【図４】図４は図１のＣの拡大構成模式図
【発明を実施するための形態】
【００１１】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−４を参考して、本発明における携帯に便利な手提げバッグは、バッグ１０を含み、前記バッグ１０の中には手提げバッグを便利に持ち運ばせるバンド部品８０が設置されており、前記バンド部品８０は、前記バッグ１０の内部に設置された収納チャンバ２２と、手提げバッグを取ることができるバンド２１とを含み、前記収納チャンバ２２の前後の内壁の間にはロール軸２４が固定的に取り付けられ、前記ロール軸２４には前記バンド２１を収納できるロール２３が回転できるように係合し取り付けられ、前記ロール２３の後側端面と前記収納チャンバ２２の後側内壁との間には前記ロール２３を駆動し前記バンド２１を回収できるねじりバネ３５が固定的に取り付けられ、前記収納チャンバ２２の右側内壁と前記バッグ１０の右側端面との間には連通しているバンド出口３８が設置されており、前記バンド出口３８の頂壁には前記バンド出口３８と連通している挟み輪溝４０が設置されており、前記挟み輪溝４０の上側には第一ボタンチャンバ４２が設置されており、前記第一ボタンチャンバ４２の頂壁には前記第一ボタンチャンバ４２と連通しているスライド軸溝４５が設置されており、前記第一ボタンチャンバ４２と前記挟み輪溝４０との間にはスライド軸５０がスライドできるように係合し取り付けられ、前記スライド軸５０と前記スライド軸溝４５とがスライドできるように係合し取り付けられ、前記スライド軸５０の末端には前記バンド２１をしっかり固定できる挟み輪３９が回転できるように係合し取り付けられ、前記スライド軸５０には前記挟み輪３９を時計回りに回転しないようにさせる摩擦爪４１がヒンジで取り付けられ、前記スライド軸５０の頂部端面と前記スライド軸溝４５の頂壁との間には前記スライド軸５０を下へ押して運動させ、且つ前記挟み輪３９を前記バンド２１と締め付けさせる挟み撥条４６が固定的に取り付けられ、前記スライド軸５０には固定ピン４４が固定的に取り付けられ、前記第一ボタンチャンバ４２の右側の内壁と前記バッグ１０の右側端面との間には第一ボタン４３がスライドできるように係合し取り付けられ、前記第一ボタン４３は前記スライド軸５０を持ち上げ、かつ前記バンド２１を回収することができ、前記第一ボタン４３と前記固定ピン４４とがスライドできるように係合し取り付けられ、前記バンド２１の末端にはナスカン１９が固定的に取り付けられ、前記バッグ１０の右側端面には前記バンド２１が傾けないようにさせる位置制限ブロック２０が上下に対称的に固定的に取り付けられ、前記バッグ１０の左端面には前記ナスカン１９と互いに掛けられるＤかん１７が固定的に取り付けられ、前記バッグ１０の前側端面には固定部品８１が設置されており、前記固定部品８１は前記バッグ１０の前側端面に固定的に取り付けられる左右に対称的なバックル箱２６を含み、前記バックル箱２６の底部端面には手提げバッグを自転車又はバイクに固定できる固定皮革１６が固定的に連結され、前記固定皮革１６にはバックル１４が設置されており、前記バックル箱２６には前記バックル１４と係合されるバックル溝２７が設置されており、前記固定皮革１６を翻転して自転車又はバイクの横棒を越し、そして前記バックル１４が前記バックル溝２７に固定されることにより手提げバッグを自転車又はバイクの横棒に固定し、前記バッグ１０の中には内チャンバ２５が設置され、前記内チャンバ２５の中には収納部品８２が設置されており、前記収納部品８２が前記内チャンバ２５の頂壁に固定的に取り付けられるファイルボード３１を含み、前記ファイルボード３１の左側区域にはファイルが置かれられ、前記ファイルボード３１が開かれた後に書き板として使われることができる。
【００１３】
前記固定部品８１は前記バックル箱２６の中に設置される左右に対称的な第二ボタンチャンバ３６を含み、前記第二ボタンチャンバ３６の下側には撥条チャンバ２９が左右に対称的に設置されており、前記第二ボタンチャンバ３６と前記バックル箱２６の片側端面との間には第二ボタン３７がスライドできるように係合し取り付けられ、前記第二ボタンチャンバ３６と前記撥条チャンバ２９との間にはスライド棒２８がスライドできるように係合し取り付けられ、前記スライド棒２８は前記バックル溝２７と支えられ、前記スライド棒２８と前記第二ボタン３７の右側の末端とがスライドできるように係合され、前記スライド棒２８の底部端面と前記撥条チャンバ２９の底壁との間には推力撥条３０が固定的に取り付けられ、前記バックル箱２６の下側には外側袋１２が設置されており、前記外側袋１２の前側端面には第一磁石１３が左右に対称的に固定的に取り付けられ、前記固定皮革１６には第二磁石１５が固定的に取り付けられ、前記第二磁石１５と前記第一磁石１３とが引き合うことができ、前記バックル箱２６の頂部端面には手提げバンド１８が前後に対称的に固定的に取り付けられ、前記手提げバンド１８と前記バッグ１０とが固定的に取り付けられ、バッグを車に固定させる時、固定皮革１６を反転して、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを自転車又はバイクから取り外す。
【００１４】
前記収納部品８２は前記ファイルボード３１の後側端面に固定的に取り付けられるファイルポケット３２を含み、前記内チャンバ２５の頂壁にはファスナー３３が固定的に連結され、前記ねじりバネ３５の左右の内壁の間には分割布３４が固定的に連結され、前記バッグ１０の中に設置されたファイルポケット３２にファイルを置くとき、ファイルボード３１を開き、ファイルをファイルポケット３２の中に置かせ、ファイルボード３１が開いた後に書き板として使用される。
【００１５】
使用する時：ファイルを置く時、ファイルボード３１を開き、ファイルをファイルポケット３２の中に置き、ファイルボード３２が開いた後に書き板として使用され、ファイルボード３１の前側には他の物品が置かれ、自転車又はバイクに乗る時、バッグを車に固定させ、固定皮革１６を翻転し、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを取り上げ、バッグの中の物品が多すぎたら、ナスカン１９とＤかん１７とが掛けられた後、バンド２１を引き、バンド２１が引き出された後、手提げバッグは肩に負うことができ、挟み輪３９が挟み撥条４６の推動によってバンド２１を締め付け、摩擦爪４１は挟み輪３９が時計回りに回転することを防止でき、バンド２１は挟み輪３９に固定され、バンド２１を使わなくなると、第一ボタン４３を押し、第一ボタン４３が固定ピン４４とスライド軸５０を押して上へスライドさせ、挟み輪３９は二度とバンド２１と締め付けなく、ねじりバネ３５がロール２３を押して回転させ、バンド２１を納まる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月7日(2020.8.7)
【手続補正１】
【補正対象書類名】特許請求の範囲
【補正対象項目名】請求項１
【補正方法】変更
【補正の内容】
【請求項１】
バッグを含み、前記バッグの中には手提げバッグを便利に持ち運ばせるバンド部品が設置されており、前記バンド部品は、前記バッグの内部に設置された収納チャンバと、手提げバッグを取ることができるバンドとを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には第一ボタンがスライドできるように係合し取り付けられ、前記第一ボタンは前記スライド軸を持ち上げ、かつ前記バンドを回収することができ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記固定皮革を翻転して自転車又はバイクの横棒を越し、そして前記バックルが前記バックル溝に固定されることにより手提げバッグを自転車又はバイクの横棒に固定し、前記バッグの中には内チャンバが設置され、前記内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができることを特徴とする携帯に便利な手提げバッグ。
【手続補正２】
【補正対象書類名】明細書
【補正対象項目名】全文
【補正方法】変更
【補正の内容】
【発明の詳細な説明】
【技術分野】
【０００１】
本発明は日用品分野を取り上げて、具体的には携帯に便利な手提げバッグであ
【背景技術】
【０００２】
手提げバッグは多くの物品を置いた後、手に持つのは非常に重く、現有の手提げバッグは肩に掛けられるバンドが配置され、ところが手提げる時には非常に不便利であり、手提げバッグの手触りを影響し、自転車やバイクに乗る時、手提げバッグを置くところがなく、ステアリングに掛ければステアリングを傾け、運転に非常に不安全であり、バッグの中の空間はファイルなど事務用品を持ち運ぶことに適しない。
【先行技術文献】
【特許文献】
【０００３】
【特許文献１】中国特許出願公開第１０９１５６９５６号明細書
【発明の概要】
【発明が解決しようとする課題】
【０００４】
本発明の目的は携帯に便利な手提げバッグを提供し、現有技術の上記欠点を克服できる。
【課題を解決するための手段】
【０００５】
本発明における携帯に便利な手提げバッグは、バッグを含み、前記バッグの中には手提げバッグを便利に持ち運ばせるバンド部品が設置されており、前記バンド部品は、前記バッグの内部に設置された収納チャンバと、手提げバッグを取ることができるバンドとを含み、前記収納チャンバの前後の内壁の間にはロール軸が固定的に取り付けられ、前記ロール軸には前記バンドを収納できるロールが回転できるように係合し取り付けられ、前記ロールの後側端面と前記収納チャンバの後側内壁との間には前記ロールを駆動し前記バンドを回収できるねじりバネが固定的に取り付けられ、前記収納チャンバの右側内壁と前記バッグの右側端面との間には連通しているバンド出口が設置されており、前記バンド出口の頂壁には前記バンド出口と連通している挟み輪溝が設置されており、前記挟み輪溝の上側には第一ボタンチャンバが設置されており、前記第一ボタンチャンバの頂壁には前記第一ボタンチャンバと連通しているスライド軸溝が設置されており、前記第一ボタンチャンバと前記挟み輪溝との間にはスライド軸がスライドできるように係合し取り付けられ、前記スライド軸と前記スライド軸溝とがスライドできるように係合し取り付けられ、前記スライド軸の末端には前記バンドをしっかり固定できる挟み輪が回転できるように係合し取り付けられ、前記スライド軸には前記挟み輪を時計回りに回転しないようにさせる摩擦爪がヒンジで取り付けられ、前記スライド軸の頂部端面と前記スライド軸溝の頂壁との間には前記スライド軸を下へ押して運動させ、且つ前記挟み輪を前記バンドと締め付けさせる挟み撥条が固定的に取り付けられ、前記スライド軸には固定ピンが固定的に取り付けられ、前記第一ボタンチャンバの右側の内壁と前記バッグの右側端面との間には第一ボタンがスライドできるように係合し取り付けられ、前記第一ボタンは前記スライド軸を持ち上げ、かつ前記バンドを回収することができ、前記第一ボタンと前記固定ピンとがスライドできるように係合し取り付けられ、前記バンドの末端にはナスカンが固定的に取り付けられ、前記バッグの右側端面には前記バンドが傾けないようにさせる位置制限ブロックが上下に対称的に固定的に取り付けられ、前記バッグの左端面には前記ナスカンと互いに掛けられるＤかんが固定的に取り付けられ、前記バッグの前側端面には固定部品が設置されており、前記固定部品は前記バッグの前側端面に固定的に取り付けられる左右に対称的なバックル箱を含み、前記バックル箱の底部端面には手提げバッグを自転車又はバイクに固定できる固定皮革が固定的に連結され、前記固定皮革にはバックルが設置されており、前記バックル箱には前記バックルと係合されるバックル溝が設置されており、前記固定皮革を翻転して自転車又はバイクの横棒を越し、そして前記バックルが前記バックル溝に固定されることにより手提げバッグを自転車又はバイクの横棒に固定し、前記バッグの中には内チャンバが設置され、前記内チャンバの中には収納部品が設置されており、前記収納部品が前記内チャンバの頂壁に固定的に取り付けられるファイルボードを含み、前記ファイルボードの左側区域にはファイルが置かれられ、前記ファイルボードが開かれた後に書き板として使われることができる。
【０００６】
更なる技術方案、前記固定部品は前記バックル箱の中に設置される左右に対称的な第二ボタンチャンバを含み、前記第二ボタンチャンバの下側には撥条チャンバが左右に対称的に設置されており、前記第二ボタンチャンバと前記バックル箱の片側端面との間には第二ボタンがスライドできるように係合し取り付けられ、前記第二ボタンチャンバと前記撥条チャンバとの間にはスライド棒がスライドできるように係合し取り付けられ、前記スライド棒は前記バックル溝と支えられ、前記スライド棒と前記第二ボタンの右側の末端とがスライドできるように係合され、前記スライド棒の底部端面と前記撥条チャンバの底壁との間には推力撥条が固定的に取り付けられ、前記バックル箱の下側には外側袋が設置されており、前記外側袋の前側端面には第一磁石が左右に対称的に固定的に取り付けられ、前記固定皮革には第二磁石が固定的に取り付けられ、前記第二磁石と前記第一磁石とが引き合うことができ、前記バックル箱の頂部端面には手提げバンドが前後に対称的に固定的に取り付けられ、前記手提げバンドと前記バッグとが固定的に取り付けられる。
【０００７】
更なる技術方案、前記収納部品は前記ファイルボードの後側端面に固定的に取り付けられるファイルポケットを含み、前記内チャンバの頂壁にはファスナーが固定的に連結され、前記ねじりバネの左右の内壁の間には分割布が固定的に連結され、前記バッグの中に設置されたファイルポケットにファイルを置くとき、ファイルボードを開き、ファイルをファイルポケットの中に置かせ、ファイルボードが開いた後に書き板として使用される。
【発明の効果】
【０００８】
本発明の有益な効果は下記の通りである：
【０００９】
本発明はファイルと他の物品とを区別させることができ、ファイルを便利に持ち運び、手提げバッグは車に固定され、サイクリストに便利に使わせ、手提げバッグには延長バンドが設置されており、バンドが必要ではない時にバンドを回収でき、より多くの物を入れた場合に力が省け、便利に使われ、普及する価値がある。
【図面の簡単な説明】
【００１０】
【図１】図１は本発明の全体構成模式図
【図２】図２は図１のＡ−Ａの方向の断面構成模式図
【図３】図３は図１のＢの拡大構成模式図
【図４】図４は図１のＣの拡大構成模式図
【発明を実施するための形態】
【００１１】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−４を参考して、本発明における携帯に便利な手提げバッグは、バッグ１０を含み、前記バッグ１０の中には手提げバッグを便利に持ち運ばせるバンド部品８０が設置されており、前記バンド部品８０は、前記バッグ１０の内部に設置された収納チャンバ２２と、手提げバッグを取ることができるバンド２１とを含み、前記収納チャンバ２２の前後の内壁の間にはロール軸２４が固定的に取り付けられ、前記ロール軸２４には前記バンド２１を収納できるロール２３が回転できるように係合し取り付けられ、前記ロール２３の後側端面と前記収納チャンバ２２の後側内壁との間には前記ロール２３を駆動し前記バンド２１を回収できるねじりバネ３５が固定的に取り付けられ、前記収納チャンバ２２の右側内壁と前記バッグ１０の右側端面との間には連通しているバンド出口３８が設置されており、前記バンド出口３８の頂壁には前記バンド出口３８と連通している挟み輪溝４０が設置されており、前記挟み輪溝４０の上側には第一ボタンチャンバ４２が設置されており、前記第一ボタンチャンバ４２の頂壁には前記第一ボタンチャンバ４２と連通しているスライド軸溝４５が設置されており、前記第一ボタンチャンバ４２と前記挟み輪溝４０との間にはスライド軸５０がスライドできるように係合し取り付けられ、前記スライド軸５０と前記スライド軸溝４５とがスライドできるように係合し取り付けられ、前記スライド軸５０の末端には前記バンド２１をしっかり固定できる挟み輪３９が回転できるように係合し取り付けられ、前記スライド軸５０には前記挟み輪３９を時計回りに回転しないようにさせる摩擦爪４１がヒンジで取り付けられ、前記スライド軸５０の頂部端面と前記スライド軸溝４５の頂壁との間には前記スライド軸５０を下へ押して運動させ、且つ前記挟み輪３９を前記バンド２１と締め付けさせる挟み撥条４６が固定的に取り付けられ、前記スライド軸５０には固定ピン４４が固定的に取り付けられ、前記第一ボタンチャンバ４２の右側の内壁と前記バッグ１０の右側端面との間には第一ボタン４３がスライドできるように係合し取り付けられ、前記第一ボタン４３は前記スライド軸５０を持ち上げ、かつ前記バンド２１を回収することができ、前記第一ボタン４３と前記固定ピン４４とがスライドできるように係合し取り付けられ、前記バンド２１の末端にはナスカン１９が固定的に取り付けられ、前記バッグ１０の右側端面には前記バンド２１が傾けないようにさせる位置制限ブロック２０が上下に対称的に固定的に取り付けられ、前記バッグ１０の左端面には前記ナスカン１９と互いに掛けられるＤかん１７が固定的に取り付けられ、前記バッグ１０の前側端面には固定部品８１が設置されており、前記固定部品８１は前記バッグ１０の前側端面に固定的に取り付けられる左右に対称的なバックル箱２６を含み、前記バックル箱２６の底部端面には手提げバッグを自転車又はバイクに固定できる固定皮革１６が固定的に連結され、前記固定皮革１６にはバックル１４が設置されており、前記バックル箱２６には前記バックル１４と係合されるバックル溝２７が設置されており、前記固定皮革１６を翻転して自転車又はバイクの横棒を越し、そして前記バックル１４が前記バックル溝２７に固定されることにより手提げバッグを自転車又はバイクの横棒に固定し、前記バッグ１０の中には内チャンバ２５が設置され、前記内チャンバ２５の中には収納部品８２が設置されており、前記収納部品８２が前記内チャンバ２５の頂壁に固定的に取り付けられるファイルボード３１を含み、前記ファイルボード３１の左側区域にはファイルが置かれられ、前記ファイルボード３１が開かれた後に書き板として使われることができる。
【００１３】
前記固定部品８１は前記バックル箱２６の中に設置される左右に対称的な第二ボタンチャンバ３６を含み、前記第二ボタンチャンバ３６の下側には撥条チャンバ２９が左右に対称的に設置されており、前記第二ボタンチャンバ３６と前記バックル箱２６の片側端面との間には第二ボタン３７がスライドできるように係合し取り付けられ、前記第二ボタンチャンバ３６と前記撥条チャンバ２９との間にはスライド棒２８がスライドできるように係合し取り付けられ、前記スライド棒２８は前記バックル溝２７と支えられ、前記スライド棒２８と前記第二ボタン３７の右側の末端とがスライドできるように係合され、前記スライド棒２８の底部端面と前記撥条チャンバ２９の底壁との間には推力撥条３０が固定的に取り付けられ、前記バックル箱２６の下側には外側袋１２が設置されており、前記外側袋１２の前側端面には第一磁石１３が左右に対称的に固定的に取り付けられ、前記固定皮革１６には第二磁石１５が固定的に取り付けられ、前記第二磁石１５と前記第一磁石１３とが引き合うことができ、前記バックル箱２６の頂部端面には手提げバンド１８が前後に対称的に固定的に取り付けられ、前記手提げバンド１８と前記バッグ１０とが固定的に取り付けられ、バッグを車に固定させる時、固定皮革１６を反転して、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを自転車又はバイクから取り外す。
【００１４】
前記収納部品８２は前記ファイルボード３１の後側端面に固定的に取り付けられるファイルポケット３２を含み、前記内チャンバ２５の頂壁にはファスナー３３が固定的に連結され、前記ねじりバネ３５の左右の内壁の間には分割布３４が固定的に連結され、前記バッグ１０の中に設置されたファイルポケット３２にファイルを置くとき、ファイルボード３１を開き、ファイルをファイルポケット３２の中に置かせ、ファイルボード３１が開いた後に書き板として使用される。
【００１５】
使用する時：ファイルを置く時、ファイルボード３１を開き、ファイルをファイルポケット３２の中に置き、ファイルボード３２が開いた後に書き板として使用され、ファイルボード３１の前側には他の物品が置かれ、自転車又はバイクに乗る時、バッグを車に固定させ、固定皮革１６を翻転し、バックル１４とバックル溝２７を係止させ、スライド棒２８はバックル１４とバックル溝２７を離脱させなく、バッグを車から取り出す時、第二ボタン３７を押し、第二ボタン３７がスライド棒２８を押して下へスライドさせ、スライド棒２８は二度とバックル溝２７と接触しなく、バックル１４とバックル溝２７とが離脱し、固定皮革１６がバックル箱２６の中から取り出すことができ、バッグを取り上げ、バッグの中の物品が多すぎたら、ナスカン１９とＤかん１７とが掛けられた後、バンド２１を引き、バンド２１が引き出された後、手提げバッグは肩に負うことができ、挟み輪３９が挟み撥条４６の推動によってバンド２１を締め付け、摩擦爪４１は挟み輪３９が時計回りに回転することを防止でき、バンド２１は挟み輪３９に固定され、バンド２１を使わなくなると、第一ボタン４３を押し、第一ボタン４３が固定ピン４４とスライド軸５０を押して上へスライドさせ、挟み輪３９は二度とバンド２１と締め付けなく、ねじりバネ３５がロール２３を押して回転させ、バンド２１を納まる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。